(57)【要約】      （修正有）【課題】音響機器等の脚部材を兼ねたインシュレーターは、煩雑な加工作業を要しているため、音響機器のパネルにインシュレーターの機能を具備させて、加工性を良好とした音響機器用側面パネルとその製造方法を提供する。【解決手段】シャーシの側面を覆うパネル主体11の前側下部に受け台部を下方及び内側に突出させて設け、該受け台部12とその下面に連続するパネル主体11の下面とを球面の一部に加工すると共に、その最下部を受け台部12の中央部に配する。前記パネル主体11と受け台部12とは木製とし、パネル主体11と板材12aとを軟質材で、中央部の板材12bを硬質材で形成する。受け台部12の上面を平面にしてシャーシを載置させてパネル主体11をシャーシに固定する。【選択図】図４
2014220625.tif 000002
【特許請求の範囲】
【請求項１】
振動の抑制対象となる音響機器の側面に取り付けられる音響機器用側面パネルにおいて、
前記音響機器のシャーシの側面に配する被覆部と該被覆部の前側端部を下方に膨出させた支持部とを備えたパネル主体と、
前記支持部に前記音響機器の側に突出させて設けた受け台部とからなり、
前記支持部と受け台部との下面とを連続させた球面の一部で形成し、該球面の最下部を受け台部の下面の中央部に位置させ、
前記受け台部の上面を平面に形成して載置面とし、
前記パネル部を前記シャーシの側面に取り付けた状態で、前記パネル主体で音響機器の側面を覆うと共に、前記載置面にシャーシが載置されることを特徴とする音響機器用側面パネル。
【請求項２】
前記支持部と受け台部とを前記パネル主体の後側にも配してあることを特徴とする請求項１に記載の音響機器用側面パネル。
【請求項３】
前記パネル主体と前記受け台部とが木製であることを特徴とする請求項１または請求項２に記載の音響機器用側面パネル。
【請求項４】
前記受け台部は二枚の板材を積層して貼着させて形成してあることを特徴とする請求項３に記載の音響機器用側面パネル。
【請求項５】
振動の抑制対象となる音響機器の側面に取り付けられる音響機器用側面パネルの製造方法において、
前記音響機器のシャーシの側面に配するパネル主体となる木製の主体用板材の前側下部に受け台部となる木製の受け台用板材を前記音響機器の側に突出させて貼着させて設け、前記主体用板材の下面であって、前記受け台用板材を設けていない部分を前記音響機器の側面の高さと等しい高さに切削して該音響機器の側面を覆う被覆部を形成し、該主体用板材の下面と前記受け台用板材の下面とを切削して、該受け台用板材の中央部が最下部となる状態の球面に形成し、前記受け台用板材の上面を平面に形成して、前記パネル主体と受け台部とを形成することを特徴とする音響機器用側面パネルの製造方法。
【請求項６】
前記主体用板材に二枚の受け台用板材を積層して貼着させ、該二枚の受け台用板材の切削により前記受け台部を形成することを特徴とする請求項５に記載の音響機器用側面パネルの製造方法。
【請求項７】
前記主体用板材の後側下部に受け台用板材を貼着させて切削することにより、パネル主体の前後に受け台部を形成することを特徴とする請求項５または請求項６に記載の音響機器用側面パネルの製造方法。
【発明の詳細な説明】
【技術分野】
【０００１】
この発明は、スピーカやアンプリファイヤー、デジタルオーディオディスク装置等の音響機器の側面に取り付けられる防振側面パネルに関する。
【背景技術】
【０００２】
スピーカやアンプリファイヤー、記録・再生用のオーディオデッキ等の音響機器・装置等は、それらの動作時には振動の発生源となっている。また、映像機器も振動の発生源となる場合がある。これら発生した振動が周辺にある機器・装置等に伝搬しては不都合な場合があるので、振動を抑制することが要求される。特に、スピーカやアンプリファイヤー等の音響機器では発生した振動によって出力された音質が影響を受け、音質の低下を招くおそれがあるため、振動の伝搬を遮断する機構であるインシュレーターが採用されている。
【０００３】
前記インシュレーターとしては、スピーカの内部に設置された機構その他種々のものがあるが、床面やキャビネットの棚面等の設置面と音響機器との間に介在させることが広く行われている。
【０００４】
この種のインシュレーターとして、特許文献１には、設置面が平らでない設置面に設置する場合に、弾性力の小さな材質で形成しても、設置面とインシュレーターおよび音響機器とインシュレーターとの隙間をなくし、さらに、水平方向の振動も制御できるインシュレーターを提供しようとするもので、インシュレーターを支持対象面に接して対象物を支持する対象面支持体と、設置面に接した状態で置かれる脚体とにより構成し、前記脚体の設置面に接する部分の裏側に、先端により対象を支持する可動部支持部を３つ設け、前記対象面支持体の支持対象面に接する部分の裏側、前記３つの可動部支持部の先端のぞれぞれに接触しつつ前記対象面支持体の前記脚体に対する傾きが変化するように運動することが可能な可動部を備えたインシュレーターが開示されている。
【０００５】
また、特許文献２には、音響機器に対して、該機器と設置面との間に介在させて、原音を忠実に再現できるインシュレーターを提供するものとして、上部インシュレーターと下部インシュレーターとからなり、上部インシュレーターは、下方に向けて円錐状の突起を有し、下部インシュレーターは、円錐状の突起を受ける凹部を有するインシュレーターにおいて、円錐状の突起の先端に、窪みを穿設し、該窪みにボールを嵌着し、かつ、下部インシュレーターの、円錐状の突起を受ける凹部に潤滑油を適量注入するインシュレーターが開示されている。
【０００６】
特許文献１に記載されたインシュレーターは、下部ボディーに保持された前記３つの可動部支持部と、これら３つの可動部支持部のいずれにも接触する可動部を上部ボディーに保持させた構造とされているものである。また、特許文献２に記載されたインシュレーターは、円錐状の突起の先端にボールが嵌着された上部インシュレーターと、円錐状の突起を受ける凹部を有する下部インシュレーターとが組み合わされたものである。
【０００７】
前記特許文献１、２のそれぞれに開示されたインシュレーターはいずれも、上部の構造物と下部の構造物とを必要とするものであり、複雑な構造となって部品点数も多いものである。また、これらのインシュレーターでは、設置の際には上側に配されるインシュレーターが一定の姿勢となるように調整する必要があり、設置時における手間がかかっている。
【０００８】
このため、出願人は、振動の遮断を必要とする機器・装置に取り付けることにより、床面やキャビネットの棚面等の設置面に載置させた状態で振動の伝搬を抑制するインシュレーターを提案した（特許文献３参照。）。
【先行技術文献】
【特許文献】
【０００９】
【特許文献１】特開２００５−２４０６７号公報
【特許文献２】特開２００６−２７９１７８号公報
【特許文献３】特開２０１２−１１９９４７号公報
【発明の概要】
【発明が解決しようとする課題】
【００１０】
特許文献３に開示されたインシュレーターは、振動の抑制対象となる機器・装置に取り付けられて、前記機器・装置と設置面との間に介在させて、前記機器・装置が発生する振動を抑制するインシュレーターにおいて、前記設置面に対向した載置面を球面の一部によって形成し、該球面の一部が設置面と接触する構成とされたものである。
【００１１】
このインシュレーターは、球面の一部で載置面を形成したものであるが、例えば映像機器や音響機器・装置に用いるもの場合には、木材を加工した木製インシュレーターであって、主体部と接触体部との二部材構造によるものが振動の伝達防止に効果的であることが認められた。特に、アンプリファイヤーでは内部の回路部品のそれぞれで微少な振動が発生して複雑な振動形態を呈するため、二部材構造によるインシュレーターが適していると思われる。
【００１２】
一方、二部材構造の木製インシュレーターでは、主体部に接触体部を埋め込んで載置面を球面加工することを要すると共に、この構造のインシュレーターをアンプリファイヤー等の筐体の四隅に配置させることから、複数個のインシュレーターを加工することを要することになる。このため、加工に要する手間が煩雑であり、複数個のインシュレーターを設置するため、１台のアンプリファイヤー等に設置するインシュレーターのコストが大きくなってしまっている。
【００１３】
そこで、この発明は、加工性を良好にして、設置作業性を向上させると共に、確実に振動の伝達を防止するインシュレーターを提供することを目的としている。
【課題を解決するための手段】
【００１４】
前記目的を達成する技術的手段として、この発明に係る音響機器用側面パネルは、振動の抑制対象となる音響機器の側面に取り付けられる音響機器用側面パネルにおいて、前記音響機器のシャーシの側面に配する被覆部と該被覆部の前側端部を下方に膨出させた支持部とを備えたパネル主体と、前記支持部に前記音響機器の側に突出させて設けた受け台部とからなり、前記支持部と受け台部との下面とを連続させた球面の一部で形成し、該球面の最下部を受け台部の下面の中央部に位置させ、前記受け台部の上面を平面に形成して載置面とし、前記パネル部を前記シャーシの側面に取り付けた状態で、前記パネル主体で音響機器の側面を覆うと共に、前記載置面にシャーシが載置されることを特徴としている。
【００１５】
シャーシの両側面のそれぞれを前記パネル主体で覆う状態にシャーシに固定すると、シャーシが前記受け台部の上面に載置された状態となる。このパネル主体に設けられた前記受け台部の球面が床面や棚板面等の設置面に接触してシャーシは設置面から離隔した状態となる。なお、シャーシの底板の後部の中央部にインシュレーター等の脚部材を取り付ければ、シャーシの左右に配したパネル主体の受け台部とこのインシュレーターとの３点でシャーシが安定して支持される。
【００１６】
また、請求項２の発明に係る音響機器用側面パネルは、前記支持部と受け台部とを前記パネル主体の後側にも配してあることを特徴としている。
【００１７】
前述したように、シャーシの底板の後部中央部に脚部材を取り付けることでシャーシを３点で支持することができるが、パネル主体の後部にも前記受け台部と同様な受け台部を形成することで、シャーシを４点で支持するようにしたものである。
【００１８】
また、請求項３の発明に係る音響機器用側面パネルは、前記パネル主体と前記受け台部とが木製であることを特徴としている。
【００１９】
すなわち、シャーシの側面に木製のパネル主体が取り付けられた構造とされたものである。
【００２０】
また、請求項４の発明に係る音響機器用側面パネルは、前記受け台部は二枚の板材を積層して貼着させて形成してあることを特徴としている。
【００２１】
受け台部に肉厚の大きい一枚の板材を用い、パネル主体にこの受け台部を形成する板材を貼着して構成することもできる。さらに、パネル主体と受け台部とを併せて三枚の板材を積層させて接着したものである。この場合、例えば、パネル主体と先端側の板材とを軟質のものとし、これら軟質板材で硬質の板材を挟んだ構造とすることだでき、例えば、軟質板材としてスプルース等を、硬質板材としてメイプル等を使用する。
【００２２】
また、請求項５の発明に係る音響機器用側面パネルの製造方法は、振動の抑制対象となる音響機器の側面に取り付けられる音響機器用側面パネルの製造方法において、前記音響機器のシャーシの側面に配するパネル主体となる木製の主体用板材の前側下部に受け台部となる木製の受け台用板材を前記音響機器の側に突出させて貼着させて設け、前記主体用板材の下面であって、前記受け台用板材を設けていない部分を前記音響機器の側面の高さと等しい高さに切削して該音響機器の側面を覆う被覆部を形成し、該主体用板材の下面と前記受け台用板材の下面とを切削して、該受け台用板材の中央部が最下部となる状態の球面に形成し、前記受け台用板材の上面を平面に形成して、前記パネル主体と受け台部とを形成することを特徴としている。
【００２３】
木製のパネル主体となる主体用板材の一部であって、前記受け台部が配される部分に木製の受け台用板材を貼着させて養生させた後、これらを所望の形状に切削加工する。特に、受け台部の下面とこの下面に連続したパネル主体の下面とを併せて切削して球面の一部に加工する。なお、受け台部の上面はシャーシを載置させるのに適した平面に形成する。
【００２４】
また、請求項６の発明に係る音響機器用側面パネルの製造方法は、前記主体用板材に二枚の受け台用板材を積層して貼着させ、該二枚の受け台用板材の切削により前記受け台部を形成することを特徴としている。
【００２５】
受け台用板材に肉厚の大きい一枚の板材とする場合に対して、二枚の板材を受け台用板材としたものである。すなわち、パネル主体の主体用板材と受け台部を構成する二枚の板材との三枚の板材を切削してパネルを形成するものである。受け台部の下面は受け台用板材と主体用板材とを切削して球面の一部に形成する。
【００２６】
また、請求項７の発明に係る音響機器用側面パネルの製造方法は、前記主体用板材の後側下部に受け台用板材を貼着させて切削することにより、パネル主体の前後に受け台部を形成することを特徴としている。
【００２７】
すなわち、前後に受け台部を形成する場合の音響機器用側面パネルの製造方法である。
【発明の効果】
【００２８】
この発明に係る音響機器用側面パネルによれば、シャーシの側面に取り付けられたパネル主体の受け台部に形成した球面の一部が床面等の設置面に点接触する。このため、音響機器が発生している振動を設置面へ伝達されることが抑制されるから、パネル主体は振動の伝搬を抑制するインシュレーターとして機能する。
【００２９】
また、パネル主体は音響機器の側面を構成するため、該音響機器を組み立てることによって取り付けられ、別途シャーシにインシュレーターを取り付ける手間を省くことができる。しかも、受け台部の下面が球面であるため、設置面に多少の傾斜があっても確実に接触させることができ、音響機器は安定して設置される。
【００３０】
また、請求項２の発明に係る音響機器用側面パネルによれば、パネル主体でのみ音響機器を支持させることができるから、パネル主体をシャーシに組み付けることで完成する。すなわち、前述したように、前側部分にのみ受け台部が形成されている場合には、例えば、シャーシの底板の後部中央部にインシュレーター等の脚部材を取り付けて、一対の受け台部とこの脚部材との３点で支持させることを要するが、パネル主体の前後に受け台部が設けられているものでは、前記脚部材等を別途必要とすることがない。
【００３１】
また、請求項３の発明に係る音響機器用側面パネルによれば、加工性が良好であり、振動の減衰性や軽量化を図るのに良好なものとすることができる。なお、パネル主体には、金属と合成樹脂や炭素樹脂、繊維樹脂等やこれらを組み合わせた構造とすることもできるが、これらの構造に較べて木製のものの方が加工性が良好で、振動の減衰にとって有効であり。
【００３２】
また、請求項４の発明に係る音響機器用側面パネルは、軽量化と良好な振動の減衰性を備えた材料を選択できると共に、加工の自由度大きいため、容易に所望の形状に加工することができる。なお、受け台部ではパネル主体と併せて３枚の板材が貼着されることになるが、中央の板材に、例えばメイプル等の硬質板材を用い、これを挟持するパネル主体と先端側の板材とに、例えばスプルース等の軟質板材を用いることでより振動減衰性を良好にできる。
【００３３】
また、請求項５の発明に係る音響機器用側面パネルの製造方法によれば、簡単な加工で正確な形状の側面パネルを仕上げることができる。
【００３４】
また、請求項６の発明に係る音響機器用側面パネルの製造方法によれば、より減衰性が良好なパネルを容易に製作することができる。
【００３５】
また、請求項７の発明に係る音響機器用側面パネルの製造方法によれば、シャーシを４点支持させることのできるパネルを容易に製作することができる。
【図面の簡単な説明】
【００３６】
【図１】この発明に係る音響機器用側面パネルを示す図で、シャーシの左側面に取り付けられるパネルの左側面図であり、表側を示している。
【図２】図１におけるＡ−Ａ矢視図である。
【図３】図２におけるＢ−Ｂ矢視図であり、裏側を示している。
【図４】図２におけるＣ−Ｃ矢視図であり、パネルの正面図である。
【図５】この音響機器用側面パネルを用いる場合に適したインシュレーターの正面図である。
【図６】図５に示すインシュレーターの平面図である。
【図７】図５に示すインシュレーターの側面図である。
【図８】図６におけるＤ−Ｄ線に沿って切断した断面図である。
【図９】この発明に係る音響機器用側面パネルをアンプリファイヤーに取り付けた使用態様を説明する正面図である。
【図１０】図９に示すアンプリファイヤーの背面図である。
【図１１】この発明に係る音響機器用側面パネルの他の実施形態を示す左側面図で、図１に相当する図である。
【発明を実施するための形態】
【００３７】
以下、図示した好ましい実施の形態に基づいて、この発明に係る音響機器用側面パネルとその製造方法を説明する。
【００３８】
図１にこの発明に係る音響機器用側面パネルの左側面図を示してあり、このパネル10は、図９に示すように、音響機器であるアンプリファイヤー１のシャーシ２の左側面を覆う状態に取り付けられる。なお、シャーシ２の右側面を覆うパネル30は、左側面用のパネル10と対称の形状に形成されて、該パネル10の構造と同様な構造となっている。
【００３９】
前記パネル10の外側部はパネル主体11が配されており、このパネル主体11の一部であってシャーシ２の側面を覆う部分が被覆部11aとされる。このパネル主体11の前側下部にシャーシ２側、すなわち内側に突出させて受け台部12が設けられている。また、この受け台部12とパネル主体11の一部であって該受け台部12が取り付けられている部分は、シャーシ２の下面よりも下方に位置するようにしてあり、支持部11bとされている。そして、受け台部12の下面とパネル主体11のこの受け台部12に連続した下面とを併せて球面の一部となるように形成されて、該球面によって支持面13とされている。この場合の支持面13の球面の曲率は極力小さいものが好ましく、また、該支持面13の最下部が受け台部12の下面の中央部に位置するようにしてある。
【００４０】
受け台部12は一枚の板材をパネル主体11に貼着して配設したものでも構わないが、二枚の板材12a、12bを積層してパネル主体11に貼着した構造とすることが好ましい。この場合、パネル主体11と受け台部12の板材12a、12bとのいずれも木製として、三枚の木製板材を貼着して形成することが好ましい。さらに、パネル主体11と先端側となる板材12aに、例えばスプルース等の軟質の木材を使用し、これらパネル主体11と板材12aとに挟持される中央の板材12bにはメイプル等の硬質の木材を使用することが、このパネル10による振動の減衰性が良好となるので好ましい。
【００４１】
また、受け台部12の上面は平面に形成されて載置面14とされ、この載置面14にシャーシ２が載置されて保持される。
【００４２】
また、パネル主体11の内側面の適宜位置には鬼目ナット15が埋設されて、シャーシ２の内側から該シャーシ２の側板を貫通させた図示しない取付ネジを締め付けることによって、該パネル主体11がシャーシ２に固定されるようにしてある。
【００４３】
前記パネル10、30を木製とする場合には、図１に想像線で示すように、パネル11を形成する所望の肉厚であって該パネル11よりも下側を僅かに大きい主体用板材16に、受け台部12を形成する所望の肉厚であって該受け台部12よりも下側を僅かに大きい受け台用板材17を積層して貼着し、養生後に下面を切削することにより加工する。このとき、パネル主体11の下面であって受け台部12が設けられていない部分は、該パネル10で覆うべきシャーシ２の高さとほぼ等しい高さに加工し、受け台部12の下面と該下面に連続したパネル主体11の下面とを球面の一部となるようにして支持面13を切削加工する。
【００４４】
図５〜図６はシャーシ２の底板の後部の中央部に取り付けるのに適した脚部材20を示しており、前記パネル10と併せて使用することができるものである。この脚部材20は三枚の板材20a、20b、20cを水平方向に積層して形成し、下面を球面の一部による支持面21に形成されている。上面は平面に形成されてシャーシ２の底板面に合致してシャーシ２を載置させる載置面22としてある。なお、中央部には支持面21から載置面22まで貫通した一対の取付孔23が形成されており、この取付孔23の支持面21側を載置面22側の小径部23aに対して拡径した大径部23bとしてある。そして、図示しない取付ネジをその頭部が前記大径部23b内に位置するように前記小径部23aに挿通させ、先端部を前記シャーシ２の底板に形成された雌ねじ部に締め付けることで、この脚部材20をシャーシ２の底板に取り付ける。
【００４５】
前記脚部材20を構成する三枚の板材20a、20b、20cは、前記パネル主体11と受け台部12の板材12a、12bと同様に、木製の板材であって外側に位置する二枚の板材20a、20cにスプルース等の軟質のものを使用し、これら20a、20cに挟持される中央の板材20bにメイプル等の硬質のものを使用することで、この脚部材20に振動に対する良好な減衰機能を具備させることができる。
【００４６】
以上により構成されたパネル10、30をアンプリファイヤー１のシャーシ２に取り付けた状態を図９及び図10に示してある。図10はこのアンプリファイヤー１の正面図であり、図11は背面図である。シャーシ２は、左右の側面はパネル10、30に覆われた状態で保護されると共に、前記受け台部12と右側のパネル30の受け台部32に載置されて保持される。また、後部の中央部には前記脚部材20が取り付けられる。このため、床面等の設置面には、パネル10、30の受け台部12、32の支持面13、33の最下部と脚部材20の支持面21の最下部が点接触して、シャーシ２は３点で安定して支持された状態となる。このように３点による点接触により支持されるための、アンプリファイヤー１が発生した振動は設置面に伝達する際に、振動の方向が拡散して、効率よく減衰されることになって、設置面への伝搬が抑制されることになる。特に、支持面13、33、21を形成する球面の曲率が小さいほど接触点に係るアンプリファイヤー１による荷重が効率よく分散し、振動の分散も良好となって減衰効率が向上する。
【００４７】
以上に説明した実施形態では、アンプリファイヤー１の前部の左右を一対の受け台部12、32と後部の中央を脚部材20によって３点で支持する構造として説明したが、３点による支持に限らない。例えば、図11に示すように、前記受け台部12と同様の構造による受け台部19を左右のパネル10、30の後部に形成すれば、該パネル10、30をシャーシ２に取り付けることで、該シャーシ２を４点で支持することができる。
【００４８】
以上に説明した実施形態では、木製の板材によってパネル主体11と受け台部12とを形成したものとして説明したが、これらパネル主体11や受け台部12は、木製に限らず、金属製や合成樹脂製、炭素樹脂製、繊維樹脂製、ゴム製としても、あるいはこれらの材料を組み合わせて形成したものであっても構わない。なお、木製による場合には、良好な振動減衰性を得ることができると共に、アンプリファイヤー１等に用いる場合には木目を露呈させることによって該アンプリファイヤー１の装飾とすることもできる。
【００４９】
また、木製のパネル主体11に二枚の板材からなる受け台部12を積層した構成について説明したが、受け台部12に肉厚の大きい一枚の板材を用いた構成としても構わない。
【００５０】
また、音響機器としてアンプリファイヤーの振動を抑制するものとして説明したが、振動の伝搬を抑制することが要求される機器・装置であれば、その他の音響機器にも使用することができ、さらに、パーソナルコンピュータや生活家電等にこの防振側面パネルを使用することもできる。
【産業上の利用可能性】
【００５１】
この発明に係る音響機器用側面パネルとその製造方法によれば、シャーシ２の側面を覆うパネルにインシュレーターとして機能させるため、該パネルを加工することで別途インシュレーターを必要とすることなく音響機器の振動の伝搬を抑制できるので、振動の伝搬抑制に要する費用を削減できて、音響機器での音質低下を防止するインシュレーターの普及を図ることができる。
【符号の説明】
【００５２】
１  アンプリファイヤー（音響機器）
２  シャーシ
10  パネル（左側面用）
11  パネル主体
11a  被覆部
11b  支持部
12  受け台部
12a  板材(先端側)
12b  板材
13  支持面(球面)
14  載置面
15  鬼目ナット
16  主体用板材
17  受け台用板材
19  受け台部
20  脚部材
20a  板材
20b  板材
20c  板材
21  支持面（球面）
22  載置面
30  パネル（右側面用）
32  受け台部
33  支持面（球面）
【図１】
2014220625.tif 000003
【図２】
2014220625.tif 000004
【図３】
2014220625.tif 000005
【図４】
2014220625.tif 000006
【図５】
2014220625.tif 000007
【図６】
2014220625.tif 000008
【図７】
2014220625.tif 000009
【図８】
2014220625.tif 000010
【図９】
2014220625.tif 000011
【図１０】
2014220625.tif 000012
【図１１】
2014220625.tif 000013